(57)【要約】【課題】  他の非接触無線通信装置との間で無線通信を行うことができる非接触無線通信装置搭載電子機器を収納する梱包資材において、製品の使い勝手を犠牲にすることなく、無線通信のためのペアリング情報や製品自体の情報漏洩を防止可能な包装材を提供すること。【解決手段】  外部からの非接触通信手段によって給電可能であり、該非接触通信を行なうことにより、当該電子機器に関する通信パラメータを送信可能な第１の非接触通信手段を備える電子機器と、電子機器を収納する梱包材を備える包装システムであり、第１の非接触通信手段が梱包材の外部まで到達可能な通信可能距離を有するとき、梱包材は箱内部において、第１の非接触通信手段のアンテナと対向する位置に通信を規制する規制手段を備えることを特徴とする。【選択図】  図３
2020172308.tif 000002
【特許請求の範囲】
【請求項１】
外部からの非接触通信手段によって給電可能であり、該非接触通信を行なうことにより、当該電子機器に関する通信パラメータを送信可能な第１の非接触通信手段を備える前記電子機器と、
前記電子機器を収納する梱包材を備える包装システムであり、
前記第１の非接触通信手段が前記梱包材の外部まで到達可能な通信可能距離を有するとき、前記梱包材は箱内部において、前記第１の非接触通信手段のアンテナと対向する位置に前記通信を規制する規制手段を備えることを特徴とする包装システム。
【請求項２】
外部からのＮＦＣ通信手段によって給電可能であり、該ＮＦＣ通信を行なうことにより、当該電子機器に関する情報を送信可能な第１の非接触通信手段を備える前記電子機器と、
前記電子機器を収納する梱包材を備える包装システムであり、
前記第１の非接触通信手段が前記梱包材の外部まで到達可能な位置にあるとき、前記梱包材は箱内部において、前記第１の非接触通信手段のアンテナと対向し、前記アンテナと前記収納箱の間に前記通信を規制する規制手段を備えることを特徴とする包装システム。
【請求項３】
前記電子機器はさらに外部との第２の通信手段を備えるとともに、前記第１の通信は第２の通信手段との接続に関する通信パラメータであることを特徴とする請求項１又は請求項２に記載の包装システム。
【請求項４】
前記電子機器は撮像装置であり、第１の通信手段が送信するパラメータは第２の通信手段であるＷＩ−ＦＩに関する通信パラメータやパスワードを含むことを特徴とする請求項１乃至請求項３の何れか一項に記載の包装システム。
【請求項５】
前記規制手段は前記電子機器と同梱される金属物を備えるアクセサリであることを特徴とする請求項１乃至請求項４の何れか一項に記載の包装システム。
【請求項６】
前記アクセサリはリチウムイオン２次電池であることを特徴とする請求項１乃至請求項５の何れか一項に記載の包装システム。
【請求項７】
前記梱包材を複数個収納する集合箱をさらに有し、前記集合箱には前記電子機器を特定可能な印刷表示を備えないことを特徴とする請求項１乃至請求項６の何れか一項に記載の包装システム。
【発明の詳細な説明】
【技術分野】
【０００１】
本発明は、各種の近距離無線通信を備えた製品を包装収納する包装箱に関する。
【背景技術】
【０００２】
近年、非接触ＩＣリーダーライター機能を搭載した無線通信装置が普及しており、このような無線通信装置は、非接触ＩＣを搭載した他の無線通信装置との間で非接触ＩＣを用いた無線通信を行うことができる。また、非接触ＩＣを用いた無線通信により、他の種類の無線通信（例えば、ＷｉＦｉ）のためのペアリング情報を交換したり、無線通信装置の動作を制御したりする使い方が一般化している。
【０００３】
非接触ＩＣは、非接触ＩＣリーダーライターからの電磁波のみを電力として無線通信
動作することが可能であり、その他の電源供給が無くても使用可能である。よって、非接触ＩＣを搭載した無線通信装置の電源がＯＦＦの状態であっても、また、無線通信装置の動作状態に関わらず、非接触ＩＣリーダーライターから非接触ＩＣに対して読み取り動作又は書き込み動作が可能である。
【０００４】
そこで従来、デジタル一眼レフカメラにおいて、カメラ内にＮＦＣ通信装置を内蔵しつつ、小型で使い勝手の良いカメラが提案されている（特許文献１参照）。また、複数ターンのスパイラル構造を有するアンテナパターンを介して外部から電源供給を受ける際に、カメラ内の金属部品の影響で非接触通信の共振数周波数ずれが発生し、到達可能距離が減少することを避けるために磁性シートを使用した電子機器が提案されている（特許文献２参照）。
【先行技術文献】
【特許文献】
【０００５】
【特許文献１】特開２０１５−２０３８２３号公報
【特許文献２】特開２０１５−１２７９１９号公報
【発明の概要】
【発明が解決しようとする課題】
【０００６】
しかしながら、無線通信装置の動作状態に関わらず応答が可能であり、また通信可能距離が伸びることは、非接触ＩＣの良い点であると共に、良くない点でもある。例えば、電池が非挿入の状態で製品が梱包された工場出荷状態においても、非接触ＩＣリーダーライターを備えたスマートフォンを箱に近づけると、製品を販売する前でも無線通信が行われてしまうという問題がある。また、例えばペアリング情報にはＷｉＦｉ通信を行うためのパスワードや製品を特定できる情報が含まれていることがあり、セキュリティ上問題があった。
【０００７】
そこで本発明は、他の非接触無線通信装置との間で無線通信を行うことができる非接触無線通信装置搭載電子機器を収納する梱包資材において、製品の使い勝手を犠牲にすることなく、無線通信のためのペアリング情報や製品自体の情報漏洩を防止可能な包装材を提供することを目的とする。
【課題を解決するための手段】
【０００８】
上記の目的を達成するために、本発明に係る包装システムは、
外部からの非接触通信手段によって給電可能であり、該非接触通信を行なうことにより、当該電子機器に関する通信パラメータを送信可能な第１の非接触通信手段を備える電子機器と、
電子機器を収納する梱包材を備える包装システムであり、
第１の非接触通信手段が梱包材の外部まで到達可能な通信可能距離を有するとき、梱包材は箱内部において、第１の非接触通信手段のアンテナと対向する位置に通信を規制する規制手段を備えることを特徴とする。
【発明の効果】
【０００９】
本発明によれば、他の非接触無線通信装置との間で無線通信を行うことができる非接触無線通信装置搭載電子機器を収納する梱包資材において、製品の使い勝手を犠牲にすることなく、無線通信のためのペアリング情報や製品自体の情報漏洩を防止可能な包装材の提供を実現できる。
【図面の簡単な説明】
【００１０】
【図１】本発明を実施した撮像装置の外観斜視図
【図２】本発明を実施した撮像装置の分解斜視図
【図３】包装ユニットの構成を示す分解斜視図
【図４】包装ユニットの部品である仕切りの展開図
【図５】収納した状態のカメラ個装箱の上面図
【図６】収納状態での位置を示す外観斜視図
【図７】複数の個装箱を収納する集合箱の分解斜視図
【発明を実施するための形態】
【００１１】
以下、本発明を実施するための形態について、図面を参照しながら説明する。なお、本発明の技術的範囲は、特許請求の範囲によって確定されるのであって、以下の個別の実施形態によって限定されるわけではない。また、実施形態の中で説明されている特徴の組み合わせすべてが、本発明に必須とは限らない。
【００１２】
また、以下の各実施形態において例示する構成部品の寸法、形状、それらの相対配置などは、本発明が適用される装置の構成や各種条件により適宜変更されるべきものであり、本発明がそれらの例示に限定されるものではない。
【００１３】
図１は、本発明を実施した撮像装置の実施形態であるカメラ１００の外観斜視図であり、カメラ１００の筐体上面には、レリーズボタン１０１、電源スイッチ１０２、モードダイヤル１０３、メインダイヤル１０４、ストロボ１０５、レンズマウント１０６、レンズ接点１０７を備える。
【００１４】
カメラ１００のレリーズボタン１０１は、被写体の撮像準備および撮像開始を指示するための指示部である。撮影者は、レリーズボタン１０１を二段階スイッチの一段目を押下した状態（所謂ＳＷ１）にすることで、撮像準備を指示することができる。また、撮影者は、レリーズボタン１０１を二段階スイッチの二段目を押下した状態（所謂ＳＷ２）にすることで、撮像開始を指示することができる。なお、上述した撮像開始は、撮像素子による露光の開始を意味している。
【００１５】
電源スイッチ１０２は、カメラ１００の電源のオンまたはオフを指示する指示部である。カメラ１００の電源がオンされた状態において、後述する電池３００からカメラ１００の各部に電力が供給される。
【００１６】
モードダイヤル１０３は、撮影モードを設定することができるモード設定部である。メインダイヤル１０４は、モードダイヤル１０３によって設定された撮影モードに基づいて、絞り値やシャッター速度、ゲイン量の調節をおこなう調節部である。
【００１７】
ストロボ１０５は、内蔵ストロボを含む発光ユニットである。当該内蔵ストロボを発光することで被写体を照明することができる。内蔵ストロボは、カメラ１００の外装部分から不図示の突出した位置（発光位置）と、カメラ１００の内部に収納された位置との間を移動できる。内蔵ストロボは、発光位置に位置する状態で発光ができる。
【００１８】
レンズマウント１０６は後述する着脱可能な撮像用レンズ２００を装着することができる。レンズマウント１０６に撮像用レンズ２００が取り付けられた状態で、当該撮像用レンズ２００によって導かれた被写体の光学像を、撮像素子上に結像させることができる。
【００１９】
レンズマウント１０６には、撮像用レンズ２００と通信をおこなうための電気接点１０７が設けられている。レンズマウント１０６の電気接点１０７と、撮像用レンズ２００に設けられた電気接点（不図示）とが電気的に接続することで、カメラ１００側から撮像用レンズ２００に電力を供給することができる。
【００２０】
また、電気接点１０７と撮像用レンズ２００に設けられた電気接点とが電気的に接続した状態で、カメラ１００と撮像用レンズ２００との間で通信ができる。
【００２１】
また、カメラ１００側面を覆うサイドカバー１０８には不図示の外部取り付けマイク端子を保護するマイク蓋１０９が備わり、動画撮影時に外部マイクを接続し音を集音する。マイク蓋１０９の下部には後述するＮＦＣアンテナ２０１と対向した位置にＮＦＣのマーク１０８ａを備え、外部から非接触ＩＣリーダーライターを利用して通信を行う時のアンテナ位置を明示する。
【００２２】
図２は、本発明を実施した撮像装置の実施形態であるカメラ１００の分解斜視図である。
【００２３】
カメラ１００はそれぞれフロント外装モジュール２０２とトップモジュール２０３、サイドカバー１０８、リアモジュール２０４で構成された外装部と、レンズマウント１０６に接続した各フレキシブルプリント基板類（以下フレキ）と不図示のメイン基板が装着されたメインシャーシ２０５、不図示の電池収納部で構成される。
【００２４】
ＮＦＣアンテナ２０１はＮＦＣフレキ２０６にプリントされた複数ターンのスパイラル構造のアンテナパターンで形成され、メイン基板に実装された不図示の非接触ＩＣに接続される。
【００２５】
ＮＦＣアンテナ２０１はサイドカバー１０８裏面の近接した位置に配置されており、サイドカバー１０８は共振数周波数ずれや通信自体を阻害しないように薄肉の非導電性樹脂で形成されている。
【００２６】
しかしながらカメラの小型化によりＮＦＣフレキ２０６にプリントできるスパイラル構造のアンテナパターンも小さくなり、通信可能な距離は一般的なスマートフォンにおいて１０ｍｍから２０ｍｍ程度となっている。
【００２７】
２０２ａはカメラの撮影や各操作部材を操作する際に手で握ってホールドするためのグリップ部である。ここでＮＦＣアンテナ２０１は、カメラ側面側で且つグリップ部２０２ａと反対側に配設されている。このため、カメラのグリップ部２０２ａを手でホールドした状態で、静置された外部機器、スマートフォンなどのＮＦＣ通信部に対し、カメラのＮＦＣアンテナ２０１を容易に近接させることができ、ＮＦＣ通信を行うのに利便性が良い。
【００２８】
そのためカメラに搭載されるＮＦＣアンテナはレンズ光軸と直交する外周部に配置されることが多い。
【００２９】
Ｗｉ‐Ｆｉ通信基板２０７はカメラ上方に配置されメインシャーシ２０５に固定される。Ｗｉ‐Ｆｉ通信ユニット２０７は、外部のＷｉ‐Ｆｉ装置を具備した外部機器や、ＰＣ(Personal Computer)、スマートフォンと無線通信を行うことで、画像データを伝達したり、ＰＣやスマートフォンからカメラの操作を行ったりする。
【００３０】
ＮＦＣアンテナ２０１と接続した非接触ＩＣは、外部のスマートフォンのＮＦＣ通信ユニットとの距離が近づくと通信を行い、さらにスマートフォンに具備されたＷｉ‐Ｆｉユニットを作動させ、カメラ１００とスマートフォンの間で無線通信を開始したりするなどの、所定の動作を行う。
【００３１】
また、非接触ＩＣは、他のＮＦＣ機器から放出された電磁波をＮＦＣアンテナ２０１で受信し、その電磁波のみを電力として無線通信動作することが可能である。即ち、カメラ１００は、電池３００がカメラ本体内に装着されていない販売前の箱収納状態であっても外部からＮＦＣ通信ユニットが近づくとペアリングを開始する。
【００３２】
この時、カメラ１００と後述するカメラ個装箱３０１との間に十分な距離があれば販売前の状態で外部からＮＦＣ通信が行われペアリング情報を抜き取られる心配が無いのであるが、近年輸送コストや販売時の利便性から箱の小型化が求められているため十分な空間を確保することが難しい。
【００３３】
図３は、本発明に係る包装ユニットの構成を示す分解斜視図であり、図４は包装ユニットの構成部品である仕切りの展開図である。
【００３４】
図３において、包装ユニットは、それぞれ段ボールで形成された、カメラ個装箱３０１とカメラ１００を保持する仕切り３０２、レンズ２００を収納するレンズフレーム３０３から構成されている。
【００３５】
仕切り３０２は後述する、図４で示す展開状態から組立を行うとカメラ１００の他、電池３００、電池チャージャー４００レンズフレーム３０３に格納された撮像用レンズ２００を収納する空間が形成される。
【００３６】
図４において、仕切り３０２はカメラ１００の底面部が当接する受け面３０２ｃを備え、受け面３０２ｃからそれぞれミシン目３０２ｄを介して３０２ｅ、３０２ｆ、３０２ｇ、３０２ｊに連なり、直角に折れ曲ってカメラ１００の周囲を囲うことでカメラ１００が保持されている。
【００３７】
３０２ｇ、３０２ｊの面は、それぞれカメラ１００の側面部と対向する面であり、３０２ｇ、３０２ｊからミシン目３０２ｋを介して緩衝部３０２ｍ、３０２ｎに連なり、緩衝部３０２ｍ、３０２ｎは落下衝撃時にカメラ１００がカメラ個装箱３０１の内壁に衝突しないようにカメラ１００を支える。
【００３８】
緩衝部３０２ｍ、３０２ｎはミシン目３０２ｑを介して立ち壁３０２ａ、３０２ｐに連なり、立ち壁３０２ａ、３０２ｐはカメラ個装箱３０１の内壁に当接する。３０２ｇ、３０２ｊの面と立ち壁３０２ａ、３０２ｐは緩衝部３０２ｍ、３０２ｎを介して連結しており、組立後はコの字状の形状となる。
【００３９】
カメラ１００のＮＦＣアンテナ２０１搭載部（図３のＮＦＣマーク１０８ａ表示部）と対向する側の緩衝部３０２ｍ近傍には開口穴３０２ｂが設けられ、図３のように電池３００が収納される。開口部３０２ｂからは電池３００の端子カバー３０４を露出させることで、電池３００の挿抜作業性を良くしている。
【００４０】
図５はカメラ１００および他の収納物を収納した状態のカメラ個装箱３０１の上面図である。また、図６は図５で示した収納状態でのカメラ１００とＮＦＣアンテナ２０１、電池３００の相対位置を示す外観斜視図である。また、図７は複数のカメラ個装箱を集合箱に収納するときの分解斜視図である。
【００４１】
図７において、本実施例におけるカメラ個装箱３０１は集合箱６０１に対して６個収納可能であり、図３におけるカメラ個装箱３０１の側面３０１ａを上向けにして収納される。カメラ個装箱３０１を収納した集合箱６０１は不図示のパレットに積み上げられて出荷される。
【００４２】
図５においてＮＦＣアンテナ２０１が装着されたカメラ１００の側面部１０８と対向するカメラ個装箱３０１の外面３０１ａ（図３）の距離Ｌが十分確保できる場合は外部からスマートフォンを近づけても箱収納状態のカメラ１００と通信が行われることはない。しかし本実施例では個装箱３０１のサイズが小さく、距離Ｌを十分確保できないため、違う手段によって通信を阻む必要がある。
【００４３】
そこで本実施例に記載の包装システムにおいては、電池３００を仕切り３０２に設けられた開口穴３０２ｂに収納することによりＮＦＣアンテナ２０１とカメラ個装箱の対向面３０１ａの間に通信を阻害する部材を介在させ、外部からの通信を防いでいる。
【００４４】
本実施例で使用している電池３００はリチウムイオン二次電池であり、外装カバー内の不図示の電池セルはアルミ缶内に収納されたシート状の正極板と負極板を巻いたもので構成されている。また、電池セルで使用されているアルミ缶自体や電極に使用されているニッケル、コバルト、リチウム素材は外部から放出された電磁波を阻害する上で十分な働きをする。
【００４５】
また、図６のようにＮＦＣアンテナ２０１のスパイラルパターンを内包するように電池３００を配置することにより確実な通信遮断を行うことが出来る。
【００４６】
また、図７のように本実施例ではカメラ個装箱３０１のＮＦＣアンテナ２０１が配置された側の面３０１ａはパレット上に集積された状態では対向する面は別の集合箱が重なり、外部からスマートフォンなどを近づけることはできない上で好適であるが、本実施例に記載の包装システムにおいてはＮＦＣアンテナ２０１と対向するカメラ個装箱の面３０１ａは上記のような制限を設けなくても同様の効果が得られる。集合箱６０１の側面６０１ａ、６０１ｂであっても良い。
【００４７】
また、本実施例における集合箱６０１の箱外観面には収納された製品を特定可能な印刷表示を行わないことで輸送時の盗難を防いでいるが、外部からＮＦＣに通信されると製品を特定できる情報が含まれているため防犯効果が薄れる。本実施例に記載した包装システムであれば外部から製品を特定することができない上で好適である。
【００４８】
また、本実施例では電池３００を通信阻害手段として用いたが、本発明はこれに限定されるものではない。例えば電池チャージャー４００でも内部には金属素材を実装した基板や金属部品を内包しており同様の効果が得られ、他にも例えば板金のシートなどを間に追加するだけでも同様の効果が得られる。
【００４９】
また、本実施例ではＮＦＣアンテナ２０１をカメラ１００の側面に配置しているが、本発明はこれに限定されるものではない。例えばカメラ１００の底面や前面、背面、上面であっても同様の効果が得られる。
【００５０】
また、本実施例ではＮＦＣを非接触無線通信として採用しているが、本発明はこれに限定されるものではない。例えばＩＣタグやＲＦＩＤの他の非接触ＩＣリーダーライターでも同様の効果が得られる。
【００５１】
以上のように、本発明によれば他の非接触無線通信装置との間で無線通信を行うことができる非接触無線通信装置搭載電子機器を収納する梱包資材において、製品の使い勝手を犠牲にすることなく、無線通信のためのペアリング情報や製品自体の情報漏洩を防止することが可能であり、非接触無線通信装置を備える電子機器に対して好適な形態に収納可能な包装システムを提供することができた。
【００５２】
以上、本発明の好ましい実施形態について説明したが、本発明はこれらの実施形態に限定されず、その要旨の範囲内で種々の変形及び変更が可能である。
【００５３】
上記実施形態では一例としてデジタルカメラについて説明したが、スマートフォンに代表される情報端末等、防犯カメラやその他電子映像機器においても同様に適用することが可能である。
【符号の説明】
【００５４】
１００  カメラ本体、２００  レンズ、２０１  ＮＦＣアンテナ、
３００  電池、３０１  個装箱、３０２  仕切り、６０１  集合箱
【図１】
2020172308.tif 000003
【図２】
2020172308.tif 000004
【図３】
2020172308.tif 000005
【図４】
2020172308.tif 000006
【図５】
2020172308.tif 000007
【図６】
2020172308.tif 000008
【図７】
2020172308.tif 000009